Podtech/llm-jp-corpus-v4-ja_patent huggingface dataset:
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を、表示画面内の所定領域を用いて表示可能な摸画像表示手段と、
受付状態を発生可能であり、該受付状態において遊技者による操作が受付けされると、該受付けがなされたことに基づいて受付後変化を実行可能な受付変化実行手段と
を備え、
前記受付状態として、特定受付状態が用意されており、
前記特定受付状態において遊技者による操作が受付けされると、該受付けがなされたことに応じた前記受付後変化として特定受付後演出を実行可能な遊技機であって、
前記特定受付後演出では、前記摸画像表示が表示されているなかで、前記特典が付与される期待度を示唆する特定の受付後演出態様と、該特定の受付後演出態様とは異なる特定の消滅演出表示とが出現可能とされ、
前記特定の消滅演出表示は、前記摸画像表示の表示対象領域である前記所定領域の少なくとも一部を含む特定領域を用いて表示されるものであり、
さらに、
前記特定の消滅演出表示は、前記摸画像表示の背景画像としては表示されず該摸画像表示に対してはその前側から重なって見えるように表示可能とされ、且つ前記特定の受付後演出態様に対してはその背後側に重なって見えるように表示可能とされるようになっており、
さらに、
前記特定受付状態が発生する場合、該特定受付状態に対応する前演出表示が当該特定受付状態の発生タイミングを跨るかたちで表示可能とされ、
前記特定受付状態の発生タイミングを跨るかたちで表示可能とされる前記前演出表示が表示されているなかで前記操作の受付けがなされて前記特定の消滅演出表示が表示される場合、該特定の消滅演出表示が表示開始される時点において、前記前演出表示は非表示の状態にされておらず表示されているが、該前演出表示は、前記特定の消滅演出表示に対してその背後側に見えるように表示されている
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を、表示画面内の所定領域を用いて表示可能な摸画像表示手段と、
受付状態を発生可能であり、該受付状態において遊技者による操作が受付けされると、該受付けがなされたことに基づいて受付後変化を実行可能な受付変化実行手段と
を備え、
前記受付状態として、特定受付状態が用意されており、
前記特定受付状態において遊技者による操作が受付けされると、該受付けがなされたことに応じた前記受付後変化として特定受付後演出を実行可能な遊技機であって、
前記特定受付後演出では、前記摸画像表示が表示されているなかで、前記特典が付与される期待度を示唆する特定の受付後演出態様と、該特定の受付後演出態様とは異なる特定の消滅演出表示とが出現可能とされ、
前記特定の消滅演出表示は、前記摸画像表示の表示対象領域である前記所定領域の少なくとも一部を含む特定領域を用いて表示されるものであり、
さらに、
前記特定の消滅演出表示は、前記摸画像表示の背景画像としては表示されず該摸画像表示に対してはその前側から重なって見えるように表示可能とされ、且つ前記特定の受付後演出態様に対してはその背後側に重なって見えるように表示可能とされるようになっており、
さらに、
前記特定受付状態が発生する場合、該特定受付状態に対応する前演出表示が当該特定受付状態の発生タイミングを跨るかたちで表示可能とされ、
前記特定受付状態の発生タイミングを跨るかたちで表示可能とされる前記前演出表示が表示されているなかで前記操作の受付けがなされて前記特定の消滅演出表示が表示される場合、該特定の消滅演出表示が表示開始される時点において、前記前演出表示は非表示の状態にされておらず表示されているが、該前演出表示は、前記特定の消滅演出表示に対してその背後側に見えるように表示されている
ことを特徴とする遊技機。
【手続補正４】
【補正対象書類名】明細書
【補正対象項目名】０００８
【補正方法】削除
【補正の内容】
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付状態を発生可能であり、該受付状態において操作が受付けされると、該受付けがなされたことに応じた受付後変化を実行可能な受付変化実行手段と
を備え、
前記受付状態として、特定受付状態が用意されており、
前記特定受付状態において遊技者による操作が受付けされた場合は、該受付けに応じた受付後変化として特定の受付後変化を実行可能であり、該特定の受付後変化では、前記摸画像表示に対してその前側に重なって見える態様をもった消滅演出表示と、該消滅演出表示とは異なる特定演出表示とがそれぞれ表示可能とされるようになっており、
前記特定受付状態で受付けがなされたことを契機として生じる前記特定の受付後変化の実行期間内には、前記摸画像表示は表示されているが前記消滅演出表示が表示されていない第１状態と、前記摸画像表示及び前記消滅演出表示がいずれも表示されている第２状態とがあり、前記特定演出表示は、前記第１状態では表示されず前記第２状態で表示されるようになっており、
さらに、
前記特定受付状態が発生する場合、該特定受付状態が発生するよりも前から該特定受付状態の発生タイミングを跨るかたちで、前記摸画像表示とは異なる特定の操作関連演出表示を表示可能であり、
前記特定受付状態において前記特定の操作関連演出表示が表示されているなかで遊技者による操作が受付けされた場合、該特定の操作関連演出表示は、前記特定の受付後変化が実行開始された以降、前記第１状態及び前記第２状態のいずれにおいても表示可能であり、
さらに、
前記特定受付状態において前記特定の操作関連演出表示が表示されているなかで遊技者による操作が受付けされた場合、該特定の操作関連演出表示は、前記第２状態において、前記摸画像表示に対してその前側に見えて且つ前記消滅演出表示に対してその背後側に見えるように表示可能とされ、
さらに、
前記特定の操作関連演出表示は、前記特定受付状態で操作の受付けがなされた以降、前記第１状態及び前記第２状態のいずれにおいても表示可能とされるが、該特定の操作関連演出表示が表示されてから非表示にされるまでの時間は、前記特定受付状態で操作の受付けがなされなかった場合よりも短くされうる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付状態を発生可能であり、該受付状態において操作が受付けされると、該受付けがなされたことに応じた受付後変化を実行可能な受付変化実行手段と
を備え、
前記受付状態として、特定受付状態が用意されており、
前記特定受付状態において遊技者による操作が受付けされた場合は、該受付けに応じた受付後変化として特定の受付後変化を実行可能であり、該特定の受付後変化では、前記摸画像表示に対してその前側に重なって見える態様をもった消滅演出表示と、該消滅演出表示とは異なる特定演出表示とがそれぞれ表示可能とされるようになっており、
前記特定受付状態で受付けがなされたことを契機として生じる前記特定の受付後変化の実行期間内には、前記摸画像表示は表示されているが前記消滅演出表示が表示されていない第１状態と、前記摸画像表示及び前記消滅演出表示がいずれも表示されている第２状態とがあり、前記特定演出表示は、前記第１状態では表示されず前記第２状態で表示されるようになっており、
さらに、
前記特定受付状態が発生する場合、該特定受付状態が発生するよりも前から該特定受付状態の発生タイミングを跨るかたちで、前記摸画像表示とは異なる特定の操作関連演出表示を表示可能であり、
前記特定受付状態において前記特定の操作関連演出表示が表示されているなかで遊技者による操作が受付けされた場合、該特定の操作関連演出表示は、前記特定の受付後変化が実行開始された以降、前記第１状態及び前記第２状態のいずれにおいても表示可能であり、
さらに、
前記特定受付状態において前記特定の操作関連演出表示が表示されているなかで遊技者による操作が受付けされた場合、該特定の操作関連演出表示は、前記第２状態において、前記摸画像表示に対してその前側に見えて且つ前記消滅演出表示に対してその背後側に見えるように表示可能とされ、
さらに、
前記特定の操作関連演出表示は、前記特定受付状態で操作の受付けがなされた以降、前記第１状態及び前記第２状態のいずれにおいても表示可能とされるが、該特定の操作関連演出表示が表示されてから非表示にされるまでの時間は、前記特定受付状態で操作の受付けがなされなかった場合よりも短くされうる
ことを特徴とする遊技機。
【手続補正４】
【補正対象書類名】明細書
【補正対象項目名】０００８
【補正方法】削除
【補正の内容】
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果が特別結果であることに基づいて特典を付与しうる特典付与手段と、
遊技者の操作対象とされる特定操作手段と、
前記特定操作手段を摸した摸画像表示を表示可能な摸画像表示手段と、
前記特定操作手段に対する操作の受付けが許容される特定の受付状態を発生可能であり、該特定の受付状態において操作が受付けされると、該受付けがなされたことに基づいて受付後変化を実行可能な受付変化実行手段と、
前記特定の受付状態が発生するのに先立って、特定の前演出表示を表示可能な前演出実行手段と、
前記特定の受付状態が発生するのに先立って、特定の受付関連演出音の出力を開始する受付関連演出音出力手段と
を備え、
前記特定の前演出表示及び前記特定の受付関連演出音は、前記特定の受付状態が発生するタイミングに跨るかたちで実行可能とされ、前記特定の前演出表示が表示されており且つ前記特定の受付関連演出音が可聴状態にあるなかで遊技者による操作が受付けされうるようになっており、
前記前演出実行手段は、
前記特定の受付状態において前記特定の前演出表示が表示されているときに遊技者による操作が受付けされると、該受付けがなされたことに基づいて前記特定の前演出表示を非表示にするようになっており、
前記受付関連演出音出力手段は、
前記特定の受付状態において前記特定の受付関連演出音が可聴状態とされているときに遊技者による操作が受付けされると、該受付けがなされたことに基づいて前記特定の受付関連演出音を非可聴状態にするようになっており、
前記特定の前演出表示は、前記受付けがなされたことに基づいて前記受付後変化が実行開始される時点では非表示にされておらず前記受付けがなされたことを契機とした表示変化を何ら生じさせずに表示されており、その後、該受付後変化の実行途中で非表示になるが、前記特定の受付関連演出音は、前記受付けがなされたことに基づいて前記受付後変化の１つとしての受付後演出音が可聴状態にされることと入れ替わるかたちで非可聴状態にされるようになっており、
さらに、
前記特定の受付状態で前記特定の前演出表示が表示されているなかで操作の受付けがなされたことに基づいて前記受付後変化の１つとしての受付後演出音の可聴出力が開始される場合、該受付後演出音の可聴出力が行われる状態で前記特定の前演出表示が表示状態にある時間は、該特定の前演出表示が非表示の状態にある時間よりも短くされ、
さらに、
前記特定の受付状態で操作の受付けがなされると前記摸画像表示が視認し難くなる特定態様が表示可能とされており、
前記特定の受付状態で前記特定の前演出表示及び前記摸画像表示が表示されているなかで操作の受付けがなされると、該特定の前演出表示が非表示にされるまでの間に、該特定の前演出表示に対してその前側に重なって見えるように前記特定態様が表示される
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果が特別結果であることに基づいて特典を付与しうる特典付与手段と、
遊技者の操作対象とされる特定操作手段と、
前記特定操作手段を摸した摸画像表示を表示可能な摸画像表示手段と、
前記特定操作手段に対する操作の受付けが許容される特定の受付状態を発生可能であり、該特定の受付状態において操作が受付けされると、該受付けがなされたことに基づいて受付後変化を実行可能な受付変化実行手段と、
前記特定の受付状態が発生するのに先立って、特定の前演出表示を表示可能な前演出実行手段と、
前記特定の受付状態が発生するのに先立って、特定の受付関連演出音の出力を開始する受付関連演出音出力手段と
を備え、
前記特定の前演出表示及び前記特定の受付関連演出音は、前記特定の受付状態が発生するタイミングに跨るかたちで実行可能とされ、前記特定の前演出表示が表示されており且つ前記特定の受付関連演出音が可聴状態にあるなかで遊技者による操作が受付けされうるようになっており、
前記前演出実行手段は、
前記特定の受付状態において前記特定の前演出表示が表示されているときに遊技者による操作が受付けされると、該受付けがなされたことに基づいて前記特定の前演出表示を非表示にするようになっており、
前記受付関連演出音出力手段は、
前記特定の受付状態において前記特定の受付関連演出音が可聴状態とされているときに遊技者による操作が受付けされると、該受付けがなされたことに基づいて前記特定の受付関連演出音を非可聴状態にするようになっており、
前記特定の前演出表示は、前記受付けがなされたことに基づいて前記受付後変化が実行開始される時点では非表示にされておらず前記受付けがなされたことを契機とした表示変化を何ら生じさせずに表示されており、その後、該受付後変化の実行途中で非表示になるが、前記特定の受付関連演出音は、前記受付けがなされたことに基づいて前記受付後変化の１つとしての受付後演出音が可聴状態にされることと入れ替わるかたちで非可聴状態にされるようになっており、
さらに、
前記特定の受付状態で前記特定の前演出表示が表示されているなかで操作の受付けがなされたことに基づいて前記受付後変化の１つとしての受付後演出音の可聴出力が開始される場合、該受付後演出音の可聴出力が行われる状態で前記特定の前演出表示が表示状態にある時間は、該特定の前演出表示が非表示の状態にある時間よりも短くされ、
さらに、
前記特定の受付状態で操作の受付けがなされると前記摸画像表示が視認し難くなる特定態様が表示可能とされており、
前記特定の受付状態で前記特定の前演出表示及び前記摸画像表示が表示されているなかで操作の受付けがなされると、該特定の前演出表示が非表示にされるまでの間に、該特定の前演出表示に対してその前側に重なって見えるように前記特定態様が表示される
ことを特徴とする遊技機。
【手続補正４】
【補正対象書類名】明細書
【補正対象項目名】０００８
【補正方法】削除
【補正の内容】
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
薬剤を払出口まで搬送することで、前記払出口から前記薬剤を払出す薬剤払出装置であって、
前記薬剤を搬送する薬剤搬送機構と、
前記薬剤搬送機構により搬送される前記薬剤が接触することにより変位すると共に、前記薬剤に対して前記変位を打ち消す向きに働く力を及ぼすことにより、前記薬剤の向き又は位置を調整して所定幅に規定された下流側への前記薬剤の搬送を補助する変位部材と、を備える薬剤払出装置。
【請求項２】
前記薬剤搬送機構により形成される前記薬剤の通過経路の側壁を規定する側壁部材を備え、
前記変位部材は、前記側壁部材の上流側に配置されている、請求項１に記載の薬剤払出装置。
【請求項３】
前記変位部材は、前記薬剤が前記側壁部材の一端に接触することを抑制するように、前記薬剤の向き又は位置を変化させる、請求項２に記載の薬剤払出装置。
【請求項４】
前記変位部材は、
第１変位部材と、
前記第１変位部材よりも上流側に配置された第２変位部材と、を含む、請求項１から３の何れか１項に記載の薬剤払出装置。
【請求項５】
前記薬剤搬送機構は、前記薬剤を前記払出口まで順送りし、かつ、順送りする方向とは逆方向へ逆送りすることが可能であり、
前記第２変位部材は、前記第１変位部材に接触した薬剤を逆送りしたときに、当該薬剤が接触することで当該薬剤の移動を抑制する抑制面を備える、請求項４に記載の薬剤払出装置。
【請求項６】
前記第２変位部材の、前記薬剤を順送りしたときに当該薬剤が接触する接触面は、前記薬剤の移動を妨げない形状である、請求項５に記載の薬剤払出装置。
【請求項７】
前記第２変位部材の断面形状は、前記抑制面が平面形状であり、かつ前記接触面が曲面形状であるＤ形状である、請求項６に記載の薬剤払出装置。
【請求項８】
前記第１変位部材の、前記薬剤が接触する接触面は、前記薬剤の移動を妨げない形状である、請求項４から７の何れか１項に記載の薬剤払出装置。
【請求項９】
前記第１変位部材の断面形状は、円形状である、請求項８に記載の薬剤払出装置。
【請求項１０】
前記薬剤搬送機構は、
前記薬剤を順送りする順送り動作と、前記薬剤を順送りする方向とは逆方向へ逆送りする逆送り動作とを切替え可能であり、
前記払出口を通過した薬剤を検知するセンサーが前記薬剤を所定時間検知しなかった場合、前記順送り動作を一時的に前記逆送り動作に切替えることで、前記薬剤搬送機構により形成される前記薬剤の通過経路上の薬剤を第１距離分逆送りする第１切替え動作を実行する、請求項１から９の何れか１項に記載の薬剤払出装置。
【請求項１１】
前記薬剤搬送機構は、前記センサーが前記薬剤をさらに所定時間検知しなかった場合、前記順送り動作を一時的に前記逆送り動作に切替えることで、前記通過経路上の薬剤を前記第１距離よりも長い第２距離分逆送りする第２切替え動作を実行する、請求項１０に記載の薬剤払出装置。
【請求項１２】
順送りする薬剤の通過をその高さに応じて規制するために薬剤の通過経路幅を規定し、かつ前記通過経路幅を変更すべく移動可能な高さ規制体を備え、
前記高さ規制体の、前記薬剤搬送機構により形成される前記薬剤の通過経路の表面からの距離は、
前記薬剤の厚みが所定値未満である場合、前記薬剤の厚みの１倍より大きく、かつ当該厚みの２倍未満の値に設定され、
前記薬剤の厚みが所定値以上である場合、前記薬剤の半径の１倍より大きく、かつ、当該薬剤の厚みの２倍未満の値に設定される、請求項１から１１の何れか１項に記載の薬剤払出装置。
【請求項１３】
前記変位部材を吊下げるように支持する支持部材を備える、請求項１から１２の何れか１項に記載の薬剤払出装置。
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
第１の遊技状態及び第２の遊技状態を含む複数の遊技状態のいずれかを発生可能な遊技機であって、
遊技者の操作対象とされる操作手段と、
前記操作手段を摸した摸画像表示を表示可能な摸画像表示手段と、
前記操作手段に対する操作の受付けが許容される受付許容状態を発生可能であり、該受付許容状態において操作が受付けされると、該受付けがなされたことに基づいて受付後演出を発生可能な受付演出実行手段と、
を備え、
前記受付許容状態は、前記第１の遊技状態及び前記第２の遊技状態のいずれにおいても発生可能であり、
前記受付後演出では、前記摸画像表示が非表示になるまでの間に該摸画像表示が視認し難くなる演出が実行可能とされており、
前記受付許容状態として、第１受付許容状態及び第２受付許容状態が少なくとも用意されており、
前記第１受付許容状態は、前記第１の遊技状態及び前記第２の遊技状態のうち前記第１の遊技状態においてのみ発生可能であり、前記第２受付許容状態は、前記第１の遊技状態及び前記第２の遊技状態のうち前記第２の遊技状態においてのみ発生可能であり、
前記摸画像表示が視認し難くなる演出は、前記第１受付許容状態において遊技者による操作が受付けされた場合と、前記第２受付許容状態において遊技者による操作が受付けされた場合とのいずれの場合においても実行可能とされるが、前記第１受付許容状態において遊技者による操作が受付けされた場合は、当該演出として、前記第２受付許容状態において遊技者による操作が受付けされた場合には出現し得ない特定態様が表示されうるようになっており、
さらに、
前記第１受付許容状態が発生する場合、該第１受付許容状態に対応する前演出表示が当該第１受付許容状態の発生タイミングを跨るかたちで表示可能とされ、
前記第１受付許容状態の発生タイミングを跨るかたちで表示可能とされる前記前演出表示が表示されているなかで前記操作の受付けがなされた場合、前記摸画像表示が視認し難くなる演出として前記特定態様が表示開始された時点において前記前演出表示は非表示の状態にされておらず表示されているが、該前演出表示は、前記特定態様に対してその背後側に見えるように表示されており、
さらに、
前記受付許容状態として、第３受付許容状態が用意されており、
前記第３受付許容状態は、特定ＢＧＭが非抑制態様で可聴出力されているなかで発生する場合と、特定ＢＧＭが抑制態様または非可聴状態にされてから発生する場合との両方があるようになっており、
さらに、
前記第１受付許容状態の発生タイミングを跨るかたちで表示可能とされる前記前演出表示が表示されているなかで前記操作の受付けがなされた場合、該操作の受付けに応じた受付後演出が実行開始される時点において前記前演出表示は非表示の状態にされておらず表示されているが、該前演出表示は、前記受付後演出が実行途中の状態にあるなかで非表示にされる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：第１の遊技状態及び第２の遊技状態を含む複数の遊技状態のいずれかを発生可能な遊技機であって、
遊技者の操作対象とされる操作手段と、
前記操作手段を摸した摸画像表示を表示可能な摸画像表示手段と、
前記操作手段に対する操作の受付けが許容される受付許容状態を発生可能であり、該受付許容状態において操作が受付けされると、該受付けがなされたことに基づいて受付後演出を発生可能な受付演出実行手段と、
を備え、
前記受付許容状態は、前記第１の遊技状態及び前記第２の遊技状態のいずれにおいても発生可能であり、
前記受付後演出では、前記摸画像表示が非表示になるまでの間に該摸画像表示が視認し難くなる演出が実行可能とされており、
前記受付許容状態として、第１受付許容状態及び第２受付許容状態が少なくとも用意されており、
前記第１受付許容状態は、前記第１の遊技状態及び前記第２の遊技状態のうち前記第１の遊技状態においてのみ発生可能であり、前記第２受付許容状態は、前記第１の遊技状態及び前記第２の遊技状態のうち前記第２の遊技状態においてのみ発生可能であり、
前記摸画像表示が視認し難くなる演出は、前記第１受付許容状態において遊技者による操作が受付けされた場合と、前記第２受付許容状態において遊技者による操作が受付けされた場合とのいずれの場合においても実行可能とされるが、前記第１受付許容状態において遊技者による操作が受付けされた場合は、当該演出として、前記第２受付許容状態において遊技者による操作が受付けされた場合には出現し得ない特定態様が表示されうるようになっており、
さらに、
前記第１受付許容状態が発生する場合、該第１受付許容状態に対応する前演出表示が当該第１受付許容状態の発生タイミングを跨るかたちで表示可能とされ、
前記第１受付許容状態の発生タイミングを跨るかたちで表示可能とされる前記前演出表示が表示されているなかで前記操作の受付けがなされた場合、前記摸画像表示が視認し難くなる演出として前記特定態様が表示開始された時点において前記前演出表示は非表示の状態にされておらず表示されているが、該前演出表示は、前記特定態様に対してその背後側に見えるように表示されており、
さらに、
前記受付許容状態として、第３受付許容状態が用意されており、
前記第３受付許容状態は、特定ＢＧＭが非抑制態様で可聴出力されているなかで発生する場合と、特定ＢＧＭが抑制態様または非可聴状態にされてから発生する場合との両方があるようになっており、
さらに、
前記第１受付許容状態の発生タイミングを跨るかたちで表示可能とされる前記前演出表示が表示されているなかで前記操作の受付けがなされた場合、該操作の受付けに応じた受付後演出が実行開始される時点において前記前演出表示は非表示の状態にされておらず表示されているが、該前演出表示は、前記受付後演出が実行途中の状態にあるなかで非表示にされる
ことを特徴とする遊技機。
【手続補正４】
【補正対象書類名】明細書
【補正対象項目名】０００８
【補正方法】削除
【補正の内容】
【手続補正書】
【提出日】令和3年7月29日(2021.7.29)
【手続補正１】
【補正対象書類名】特許請求の範囲
【補正対象項目名】全文
【補正方法】変更
【補正の内容】
【特許請求の範囲】
【請求項１】
画像処理装置であって、
被検体に対する放射線撮影により得られた放射線画像を複数の解剖学的領域に分割する分割手段と、
前記複数の解剖学的領域のうちの少なくとも一つの領域を抽出する抽出手段と、
前記抽出手段により抽出された領域における画素値に基づいて、前記抽出された領域に対する前記放射線撮影の線量指標値を算出する算出手段と、
を有することを特徴とする画像処理装置。
【請求項２】
前記分割手段は、前記複数の解剖学的領域に異なるラベル番号を付与することにより、放射線画像を複数の解剖学的領域に分割することを特徴とする請求項１に記載の画像処理装置。
【請求項３】
前記分割手段は、予め機械学習によって生成されたパラメータを用いて、前記放射線画像を複数の解剖学的領域に分割することを特徴とする請求項１または２に記載の画像処理装置。
【請求項４】
機械学習により生成されたパラメータを記憶する記憶手段を更に有することを特徴とする請求項３に記載の画像処理装置。
【請求項５】
前記記憶手段は、機械学習されたパラメータを部位と関連付けて記憶することを特徴とする請求項４に記載の画像処理装置。
【請求項６】
前記抽出手段は、予め設定された、複数の部位と当該複数の部位のそれぞれに対応するラベル番号との対応情報を用いて、操作者の指示に従って、前記複数の解剖学的領域のうちの少なくとも一つの領域を抽出することを特徴とする請求項３から５のいずれか１項に記載の画像処理装置。
【請求項７】
予め設定された、所定の画像データと当該所定の画像データに対応する正解の分割割り当てデータに基づいて機械学習を行うことにより前記パラメータを更新する機械学習手段を更に有し、
前記分割手段は、前記更新されたパラメータを用いて、前記放射線画像を複数の解剖学的領域に分割することを特徴とする請求項６に記載の画像処理装置。
【請求項８】
前記分割手段により前記更新されたパラメータを用いて分割された複数の解剖学的領域に応じて、前記対応情報を更新して設定する設定手段を更に有することを特徴とする請求項７に記載の画像処理装置。
【請求項９】
前記パラメータが更新された場合、または、前記対応情報が更新された場合に、当該更新の前後に前記算出手段により算出されたそれぞれの前記線量指標値を用いて、前記線量指標値の目標値としての線量目標値を更新する更新手段を更に有することを特徴とする請求項８に記載の画像処理装置。
【請求項１０】
前記機械学習は、ＣＮＮ（Convolutional Neural Network）、ＦＣＮ（Fully Convolutional Networks）、ＳｅｇＮｅｔ、Ｕ−ｎｅｔのいずれかを用いた機械学習であることを特徴とする請求項３から９のいずれか１項に記載の画像処理装置。
【請求項１１】
前記算出手段は、前記放射線画像における、前記抽出手段により抽出された領域の中心傾向を示す値を代表値として算出し、前記代表値を用いて前記線量指標値を算出することを特徴とする請求項１から１０のいずれか１項に記載の画像処理装置。
【請求項１２】
前記抽出手段により、前記複数の解剖学的領域のうち複数の領域が抽出された場合、
前記算出手段は、前記抽出手段により抽出された複数の領域のそれぞれに対して前記代表値を算出し、複数の前記代表値から、前記抽出された複数の領域に対する複数の前記放射線撮影の線量指標値を算出することを特徴とする請求項１１に記載の画像処理装置。
【請求項１３】
画像処理方法であって、
被検体に対する放射線撮影により得られた放射線画像を複数の解剖学的領域に分割する分割工程と、
前記複数の解剖学的領域のうちの少なくとも一つの領域を抽出する抽出工程と、
前記抽出工程において抽出された領域における画素値に基づいて、前記抽出された領域に対する前記放射線撮影の線量指標値を算出する算出工程と、
を備えることを特徴とする画像処理方法。
【請求項１４】
コンピュータを、請求項１から１２のいずれか１項に記載の画像処理装置として機能させるためのプログラム。
【手続補正書】
【提出日】令和3年5月20日(2021.5.20)
【手続補正１】
【補正対象書類名】特許請求の範囲
【補正対象項目名】全文
【補正方法】変更
【補正の内容】
【特許請求の範囲】
【請求項１】
遊技盤に配置される盤側部材と、
前記遊技盤を支持する枠体に配置される枠側部材と、
前記枠側部材と前記盤側部材とでそれぞれ演出を実行可能な演出手段と、
遊技者に有利な所定利益状態を発生させる利益状態発生手段とを備えた
遊技機において、
前記枠側部材は第１発光手段を有し、
前記盤側部材は第２発光手段を有し、
前記演出手段は、前記所定利益状態の発生が確実となったことに対応する確定発光演出を実行可能であり、
前記第１発光手段で前記確定発光演出を行う場合と、前記第２発光手段で前記確定発光演出を行う場合とで、前記確定発光演出の開始タイミングは異なるが終了タイミングは同じである
ことを特徴とする遊技機。
【手続補正２】
【補正対象書類名】明細書
【補正対象項目名】０００２
【補正方法】変更
【補正の内容】
【０００２】
パチンコ機等の遊技機では、遊技盤上及びその遊技盤を支持する枠体上に夫々発光手段が配置されており、それらの発光手段を用いた演出が行われるようになっている（例えば特許文献１）。
【手続補正３】
【補正対象書類名】明細書
【補正対象項目名】０００４
【補正方法】変更
【補正の内容】
【０００４】
本発明は、各種発光手段を用いて効果的な演出を行うことが可能な遊技機を提供することを目的とする。
【手続補正４】
【補正対象書類名】明細書
【補正対象項目名】０００５
【補正方法】変更
【補正の内容】
【０００５】
本発明は、遊技盤に配置される盤側部材と、前記遊技盤を支持する枠体に配置される枠側部材と、前記枠側部材と前記盤側部材とでそれぞれ演出を実行可能な演出手段と、遊技者に有利な所定利益状態を発生させる利益状態発生手段とを備えた遊技機において、前記枠側部材は第１発光手段を有し、前記盤側部材は第２発光手段を有し、前記演出手段は、前記所定利益状態の発生が確実となったことに対応する確定発光演出を実行可能であり、前記第１発光手段で前記確定発光演出を行う場合と、前記第２発光手段で前記確定発光演出を行う場合とで、前記確定発光演出の開始タイミングは異なるが終了タイミングは同じとなるように構成したものである。
【手続補正５】
【補正対象書類名】明細書
【補正対象項目名】０００６
【補正方法】変更
【補正の内容】
【０００６】
本発明によれば、各種発光手段を用いて効果的な演出を行うことが可能である。
【手続補正書】
【提出日】令和3年5月20日(2021.5.20)
【手続補正１】
【補正対象書類名】特許請求の範囲
【補正対象項目名】全文
【補正方法】変更
【補正の内容】
【特許請求の範囲】
【請求項１】
遊技機本体と、
前記遊技機本体に配置した操作手段及び可動体と、
前記可動体の動作に関連した演出を実行可能な演出手段と、
遊技者に有利な所定利益状態を発生させる利益状態発生手段とを備えた
遊技機において、
前記操作手段は第１発光手段を有し、
前記可動体は第２発光手段を有し、
前記可動体は、前記操作手段の操作に関連して動作可能であり、
前記演出手段は、前記所定利益状態の発生が確実となったことに対応する確定発光演出を、前記第１発光手段と前記第２発光手段のそれぞれで実行可能であり、
前記確定発光演出を実行するタイミングは前記第２発光手段よりも前記第１発光手段の方が早い
ことを特徴とする遊技機。
【手続補正２】
【補正対象書類名】明細書
【補正対象項目名】０００２
【補正方法】変更
【補正の内容】
【０００２】
パチンコ機等の遊技機には、演出用の可動体を配置したものが多い（例えば特許文献１）。
【手続補正３】
【補正対象書類名】明細書
【補正対象項目名】０００４
【補正方法】変更
【補正の内容】
【０００４】
本発明は、可動体を用いて効果的な演出を行うことが可能な遊技機を提供することを目的とする。
【手続補正４】
【補正対象書類名】明細書
【補正対象項目名】０００５
【補正方法】変更
【補正の内容】
【０００５】
本発明は、遊技機本体と、前記遊技機本体に配置した操作手段及び可動体と、前記可動体の動作に関連した演出を実行可能な演出手段と、遊技者に有利な所定利益状態を発生させる利益状態発生手段とを備えた遊技機において、前記操作手段は第１発光手段を有し、前記可動体は第２発光手段を有し、前記可動体は、前記操作手段の操作に関連して動作可能であり、前記演出手段は、前記所定利益状態の発生が確実となったことに対応する確定発光演出を、前記第１発光手段と前記第２発光手段のそれぞれで実行可能であり、前記確定発光演出を実行するタイミングは前記第２発光手段よりも前記第１発光手段の方が早いものである。
【手続補正５】
【補正対象書類名】明細書
【補正対象項目名】０００６
【補正方法】変更
【補正の内容】
【０００６】
本発明によれば、可動体を用いて効果的な演出を行うことが可能である。
【手続補正書】
【提出日】令和3年6月22日(2021.6.22)
【手続補正１】
【補正対象書類名】明細書
【補正対象項目名】０００２
【補正方法】変更
【補正の内容】
【０００２】
遊技機に設けたスピーカの音量、液晶装置やランプの輝度等を遊技者により調整可能にする遊技機がある。
【手続補正２】
【補正対象書類名】明細書
【補正対象項目名】０００３
【補正方法】変更
【補正の内容】
【０００３】
【特許文献１】特開平１０−１０８９４０号公報
【手続補正３】
【補正対象書類名】明細書
【補正対象項目名】０００４
【補正方法】変更
【補正の内容】
【０００４】
しかしながら、従来の遊技機は、音量設定と光量設定とで設定方法や表示内容が似ているために、遊技者が音量設定と光量設定とを間違えて設定操作をおこなってしまうという問題があった。
【手続補正４】
【補正対象書類名】明細書
【補正対象項目名】０００５
【補正方法】変更
【補正の内容】
【０００５】
１つの側面では、本発明は、遊技者にとって好適な設定操作環境を提供することを目的とする。
【手続補正５】
【補正対象書類名】明細書
【補正対象項目名】０００６
【補正方法】変更
【補正の内容】
【０００６】
上記目的を達成するために、以下に示すような、遊技機が提供される。遊技機は、表示部を含んで遊技を演出可能な演出部と、遊技者操作を受付可能な操作部と、演出部が出力する音量と光量とを、遊技者操作を受け付けて設定可能にする制御部と、を備える。制御部は、音量または光量の設定操作を受け付けるとき、操作部の操作案内をイメージ表示する第１表示と、視覚的に音量を感得可能にして第１の色彩でイメージ表示する第２表示と、視覚的に光量を感得可能にして第１の色彩と異なる第２の色彩でイメージ表示する第３表示とを表示部に表示させる。
【手続補正６】
【補正対象書類名】明細書
【補正対象項目名】０００７
【補正方法】変更
【補正の内容】
【０００７】
１態様によれば、遊技機において、遊技者にとって好適な設定操作環境を提供できる。
【手続補正７】
【補正対象書類名】特許請求の範囲
【補正対象項目名】全文
【補正方法】変更
【補正の内容】
【特許請求の範囲】
【請求項１】
表示部を含んで遊技を演出可能な演出部と、
遊技者操作を受付可能な操作部と、
前記演出部が出力する音量と光量とを、前記遊技者操作を受け付けて設定可能にする制御部と、
を備え、
前記制御部は、
前記音量または前記光量の設定操作を受け付けるとき、前記操作部の操作案内をイメージ表示する第１表示と、視覚的に音量を感得可能にして第１の色彩でイメージ表示する第２表示と、視覚的に光量を感得可能にして前記第１の色彩と異なる第２の色彩でイメージ表示する第３表示とを前記表示部に表示させる、
遊技機。
【手続補正書】
【提出日】令和3年5月6日(2021.5.6)
【手続補正１】
【補正対象書類名】明細書
【補正対象項目名】０００２
【補正方法】変更
【補正の内容】
【０００２】
遊技機に設けたスピーカの音量、液晶装置やランプの輝度等を遊技者により調整可能にする遊技機がある。
【手続補正２】
【補正対象書類名】明細書
【補正対象項目名】０００３
【補正方法】変更
【補正の内容】
【０００３】
【特許文献１】特開平１０−１０８９４０号公報
【手続補正３】
【補正対象書類名】明細書
【補正対象項目名】０００４
【補正方法】変更
【補正の内容】
【０００４】
しかしながら、遊技者にとって適切に調整するための指標が十分でないことから、調整が適切になされないことがあった。
【手続補正４】
【補正対象書類名】明細書
【補正対象項目名】０００５
【補正方法】変更
【補正の内容】
【０００５】
１つの側面では、本発明は、遊技者がより適切な調整をおこなえるよう調整操作を補助可能な遊技機を提供することを目的とする。
【手続補正５】
【補正対象書類名】明細書
【補正対象項目名】０００６
【補正方法】変更
【補正の内容】
【０００６】
上記目的を達成するために、以下に示すような、遊技機が提供される。遊技機は、演出に関する設定を設定可能な設定制御部と、演出に関する設定に関して、第１の設定値と第１の設定値と異なる第２の設定値とを選択可能にし、第１の設定値と第２の設定値のうち少なくともいずれか一方が選択されたときに選択された設定値に対応する報知をおこなう出力制御部と、を含む。
【手続補正６】
【補正対象書類名】明細書
【補正対象項目名】０００７
【補正方法】変更
【補正の内容】
【０００７】
１態様によれば、遊技機において、遊技者がより適切な調整をおこなえるよう調整操作を補助できる。
【手続補正７】
【補正対象書類名】特許請求の範囲
【補正対象項目名】全文
【補正方法】変更
【補正の内容】
【特許請求の範囲】
【請求項１】
演出に関する設定を設定可能な設定制御部と、
前記演出に関する設定に関して、第１の設定値と前記第１の設定値と異なる第２の設定値とを選択可能にし、前記第１の設定値と前記第２の設定値のうち少なくともいずれか一方が選択されたときに選択された設定値に対応する報知をおこなう出力制御部と、
を含む遊技機。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
所定の変位を発生させる一対の変位素子と、
前記一対の変位素子に結合され、当該一対の変位素子の変位により駆動される駆動部材と、
前記駆動部材が当接することによって駆動される被駆動部材と、
を備えるアクチュエータの駆動回路であって、
前記一対の変位素子のうち一方の変位素子に所定の周波数の駆動信号を印加する制御部と、
前記一対の変位素子のうち他方の変位素子から検出信号を検出する検出部と、
前記駆動信号から所定位相だけシフトした積分領域パルスを生成するパルス生成部と、
前記積分領域パルスを用いて前記検出信号を積分する積分部と、
を備え、
前記制御部は、
前記積分部の出力信号に基づいて前記駆動信号の位相を制御する、
ことを特徴とするアクチュエータ駆動回路。
【請求項２】
前記積分領域パルスは、前記駆動信号の位相を４５°進めたものである、
ことを特徴とする請求項１に記載のアクチュエータ駆動回路。
【請求項３】
前記積分部は、前記積分領域パルスの所定の区間に対応する前記検出信号を積分する、
ことを特徴とする請求項１または２に記載のアクチュエータ駆動回路。
【請求項４】
前記制御部は、前記検出信号が前記積分部に積分された値が正の値の場合、前記駆動信号の位相を進めるよう制御する、
ことを特徴とする請求項１または２に記載のアクチュエータ駆動回路。
【請求項５】
前記制御部は、前記検出信号が前記積分部に積分された値が負の値の場合、前記駆動信号の位相を遅らせるよう制御する、
ことを特徴とする請求項１または２に記載のアクチュエータ駆動回路。
【請求項６】
所定の変位を発生させる一対の変位素子と、
前記一対の変位素子に結合され、当該一対の変位素子の変位により駆動される駆動部材と、
前記駆動部材が当接することによって駆動される被駆動部材と、
を備えるアクチュエータの駆動回路であって、
前記一対の変位素子のうち一方の変位素子に所定の周波数の駆動信号を印加する制御部と、
前記一対の変位素子のうち他方の変位素子から検出信号を検出する検出部と、
前記駆動信号から、第１位相だけシフトした第１積分領域パルス、および、第２位相だけシフトした第２積分領域パルスを生成するパルス生成部と、
前記第１積分領域パルスを用いて前記駆動信号を積分する第１積分部と、
前記第２積分領域パルスを用いて前記検出信号を積分する第２積分部と、
を備え、
前記制御部は、
前記第１積分部の出力信号と前記第２積分部の出力信号との差に基づいて前記駆動信号の位相を制御する、
ことを特徴とするアクチュエータ駆動回路。
【請求項７】
前記第１積分領域パルスは、前記駆動信号の位相を９０°進めたものであり、
前記第２積分領域パルスは、前記駆動信号の位相を４５°進めたものである、
ことを特徴とする請求項６に記載のアクチュエータ駆動回路。
【請求項８】
請求項１から５のうちいずれか１項に記載の前記積分領域パルスおよび前記駆動信号は矩形波であり、
請求項６または７のうちいずれか１項に記載の前記第１積分領域パルス、前記第２積分領域パルスおよび前記駆動信号は矩形波であり、
請求項１から７のうちいずれか１項に記載の前記検出信号は正弦波である、
ことを特徴とするアクチュエータ駆動回路。
【請求項９】
請求項１から８のうちいずれか１項に記載のアクチュエータ駆動回路を備える、
ことを特徴とする電子機器。
【手続補正２】
【補正対象書類名】明細書
【補正対象項目名】００５０
【補正方法】変更
【補正の内容】
【００５０】
駆動回路１は、非駆動側の検出信号の積分領域において、非駆動側の検出信号の和が０でなく、正の値を取る場合、ＶＣＯ４２から駆動側の変位素子２３Ｂに出力される電流波形の位相を進ませるよう制御を行う。
また、駆動回路１は、非駆動側の検出信号の積分領域において、非駆動側の検出信号の和が０でなく、負の値を取る場合、ＶＣＯ４２から駆動側の変位素子２３Ｂに出力される電流波形の位相を遅らせるよう制御を行う。
【手続補正書】
【提出日】令和3年9月22日(2021.9.22)
【手続補正１】
【補正対象書類名】明細書
【補正対象項目名】００１７
【補正方法】変更
【補正の内容】
【００１７】
図１は、本発明の実施形態に係る炉壁構造を備えた溶融金属用保持炉１を示す。溶融金属用保持炉１は、図４に示すように、溶湯受入室２、溶湯保持室３及び溶湯汲出室４から構成され、各室は上から見て略矩形で、上方に開口している。溶湯受入室２は溶融金属用保持炉１の正面から見て左側後方に配置され、溶湯汲出室４は左側前方に配置され、溶湯保持室３は右側に配置されている。溶湯受入室２と溶湯汲出室４は、第１仕切壁５を介して隣接して配置されている。溶湯保持室３は、第２仕切壁６を介して溶湯受入室２と溶湯汲出室４に隣接して配置されている。
【手続補正２】
【補正対象書類名】明細書
【補正対象項目名】００１８
【補正方法】変更
【補正の内容】
【００１８】
溶湯受入室２の炉床面は、溶湯汲出室４の炉床面よりも高い位置に形成されている。溶湯保持室３の炉床面は、溶湯受入室２の炉床面と同じ高さにあり、溶湯保持室３の炉床面の一部（第２仕切壁６の第２連通開口８付近）は、１段低い溜り部３ａが形成され、該溜り部３ａの炉床面は、溶湯汲出室４の炉床面と同じ高さに形成されている。図２に示すように、第２仕切壁６の下部には、溶湯受入室２と溶湯保持室３を連通する第１連通開口７が形成されるとともに、溶湯保持室３と溶湯汲出室４を連通する第２連通開口８が形成されている。これにより、図４に示すように、溶湯受入室２、溶湯保持室３及び溶湯汲出室４は、溶融金属用保持炉１の上から見て、溶湯受入室２から第１連通開口７を介して溶湯保持室３に連通し、溶湯保持室３から第２連通開口８を介して溶湯汲出室４に連通するように、コ字形に配置されている。
【手続補正３】
【補正対象書類名】明細書
【補正対象項目名】００２４
【補正方法】変更
【補正の内容】
【００２４】
第１仕切壁５は、図８に示すように、第１内張層１６ａの炉床と一体構造で下部壁を構成する下部仕切壁５ａと、上部壁を構成する耐熱ボードの上部仕切壁５ｂとからなる。下部仕切壁５ａと上部仕切壁５ｂとの接合面は、内張層１６と同様に溶融金属中に位置する。また、第２仕切壁６は耐熱ボードで構成され、図９に示すように、両端が第２内張層１６ｂで保持され、下端が溶融金属中に位置する。
【手続補正４】
【補正対象書類名】明細書
【補正対象項目名】００３２
【補正方法】変更
【補正の内容】
【００３２】
図４、図６、図９に示すように、溶融金属用保持炉１の第１仕切壁５の上部仕切壁５ｂの一方端は第２内張層１６ｂの側面に形成した凹形の溝２１に、他方端は第２仕切壁の側面に形成した凹形の溝２１に、また、第２仕切壁６の両端面は、第２内張層１６ｂの側面に形成した凹形の溝２１にそれぞれ接着剤を介して嵌合し接合するようにする。
【手続補正書】
【提出日】令和3年10月25日(2021.10.25)
【手続補正１】
【補正対象書類名】特許請求の範囲
【補正対象項目名】請求項１
【補正方法】変更
【補正の内容】
【請求項１】
エンジンと、
前記エンジンを収納するエンジンカウルと、
前記エンジンカウルの下方に配置されたアッパハウジングと、
前記エンジンカウル又は前記アッパハウジング内に配置された第１のスプラインと、
前記アッパハウジングの下方に配置されたロアハウジングと、
前記第１のスプラインと噛み合う第２のスプラインを含み、前記ロアハウジングから上方に延びるシャフトと、
を備え、
前記第２のスプラインは、前記シャフトの上端に設けられた先端部と、前記先端部の下方に設けられた本体部とを含み、
前記第２のスプラインにおいて、前記先端部における周方向の溝幅は、前記本体部の略全長における周方向の溝幅よりも大きい、
船外機。
【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
シート状樹脂マトリクス中に、粒子状の熱伝導性粒子が分散混合されている複合材料であって、前記複合材料の、表裏２つの表面に前記熱伝導性粒子単体の表面が露出していることを特徴とする複合材料。
【請求項２】
前記樹脂マトリクスの厚さが、１０μｍ〜５００μｍであることを特徴とする請求項１に記載の複合材料。
【請求項３】
前記熱伝導性粒子が、アルミニウム酸化物、窒化アルミニウム、立方晶窒化ホウ素、六方晶窒化ホウ素、酸化亜鉛、酸化マグネシウム、酸化ベリリウム、ダイヤモンドの単独粒子および／またはこれらの凝集粒子および／または前記熱伝導性粒子が土台となる球状微粒子表面に固定されて被覆層を形成している複合フィラーから選ばれることを特徴とする請求項１又は請求項２に記載の複合材料。
【請求項４】
請求項１〜３のいずれかに記載の複合材料を用いることを特徴とする放熱シート。
【請求項５】
前記放熱シートが、異なる最長部長さを有する熱伝導性粒子が分散混合されている少なくとも２種以上の放熱シートを３層以上に重ねたものであって、かつ、熱伝導性粒子の最長部長さが小さい方の熱伝導性粒子を含む放熱シートが、当該積層物の上下方向の最表面に配置されていることを特徴とする請求項４に記載の放熱シート。